(57)【要約】      （修正有）【課題】光発電アセンブリのケーブルをガイド及び保護し、ケーブルの寿命を延長させることが可能なケーブル収集装置を提供する。【解決手段】ケーブル収集装置は、溝体１と、カバープレートと、弾性パッド３とを含む。溝体は、底板１１と側板１２を備え、側板にはケーブルが通過する貫通孔１２１が設けられている。カバープレートは、溝体をカバーして溝体に着脱可能に連結される。弾性パッドは、底板の側板から離れる表面に接続される。【選択図】図１
2019205331.tif 000002
【特許請求の範囲】
【請求項１】
底板と側板を備え、前記側板にはケーブルが貫通する貫通孔が形成される溝体と、
前記溝体をカバーし、前記溝体に着脱可能に接続されるカバープレートと、
前記底板の前記側板から離れる表面に接続される弾性パッドと、を含むケーブル収集装置。
【請求項２】
前記ケーブル収集装置は、
前記底板と前記弾性パッドとの間に接続されるベースをさらに含むことを特徴とする請求項１に記載のケーブル収集装置。
【請求項３】
前記弾性パッドは、前記底板の前記側板から離れる表面に接合して接続されることを特徴とする請求項１に記載のケーブル収集装置。
【請求項４】
前記弾性パッドの前記底板から離れる表面には、接着層が備えられることを特徴とする請求項１から３の何れか一項に記載のケーブル収集装置。
【請求項５】
前記底板には、透水孔が備えられることを特徴とする請求項１に記載のケーブル収集装置。
【請求項６】
前記貫通孔内には、ガスケットが備えられることを特徴とする請求項１に記載のケーブル収集装置。
【請求項７】
前記溝体の少なくとも一側には遮蔽部材が備えられ、前記遮蔽部材は、前記側板又は前記カバープレートに接続されることを特徴とする請求項１に記載のケーブル収集装置。
【請求項８】
前記側板には、外側に延長するコネクタが備えられ、前記カバープレートは前記コネクタに接続されることを特徴とする請求項１に記載のケーブル収集装置。
【請求項９】
前記溝体及び前記カバープレートのうち少なくとも一つは、アルミニウム板または亜鉛アルミニウムめっき鋼板で製造されることを特徴とする請求項１に記載のケーブル収集装置。
【請求項１０】
請求項１から９の何れか一項に記載のケーブル収集装置を複数個備え、隣接する２つのケーブル収集装置が貫通して接続されることを特徴とするケーブルガイド装置。
【請求項１１】
隣接する２つのケーブル収集装置の溝体は接続装置によって着脱可能に接続されることを特徴とする請求項１０に記載のケーブルガイド装置。
【請求項１２】
光発電アセンブリと、
請求項１０又は１１に記載のケーブルガイド装置を含むことを特徴とする建築部材。
【発明の詳細な説明】
【技術分野】
【０００１】
本発明は、光発電技術分野に関するもので、特にケーブル収集装置、ケーブルガイド装置及び建築部材に関するものである。
【背景技術】
【０００２】
現在、太陽エネルギーはクリーンエネルギーとしてますます多く応用されているが、光発電アセンブリは、太陽エネルギーを利用して発電する重要な部材である。建物に電気エネルギーを供給するために、多くの建物の屋根及び屋上に光発電アセンブリが装着され、また所定の回路と電子素子を組み合わせて屋根や屋上の発電システムを形成する。
【０００３】
先行技術では、回路を形成するために光発電アセンブリにジャンクションボックスとケーブルが備えられるが、ジャンクションボックスとケーブルは、一般的に直接外に露出され、効果的な保護が不足する。それなので、日光に晒し、雨等の原因で故障が発生しやすく、寿命が減少される。柔軟な光電池屋上は、圧力を部分的に受ける能力が制限されるので、ケーブル溝を固定しにくい。同時に、一般的には、屋根に複数の光発電アセンブリを取り付けて、ケーブルの数量が多いので、効果的な案内と整理が不足して光発電アセンブリが遮蔽されやすく、受光量を減らし、発展効果に影響を与える。
【０００４】
理解すべきことは、上記の背景技術で開示された情報は、本開示の背景の理解を強化させるためのものなので、当業者が知っている先行技術を構成していない情報を含むことができる。
【発明の概要】
【０００５】
本発明の目的は、ケーブル収集装置を提供して、光発電アセンブリのケーブルをガイドして保護して、使用寿命を延長させるものである。本発明は、また、前記ケーブル収集装置を含むケーブルガイド装置及び前記ケーブルガイド装置を含む建築部材を提供する。
【０００６】
本公開の一態様によると、ケーブル収集装置を提供し、当該ケーブル収集装置は、
底板と側板を備え、前記側板にはケーブルが貫通する貫通孔が形成される溝体と、
前記溝体をカバーし、前記溝体に着脱可能に接続されるカバープレートと、
前記底板の前記側板から離れる表面に接続される弾性パッドと、を含む。
【０００７】
本公開の一例示的な実施例において、前記ケーブル収集装置は、
前記底板と前記弾性パッドとの間に接続されるベースをさらに含む。
【０００８】
本公開の一例示的な実施例において、前記弾性パッドは、前記底板の前記側板から離れる表面に接合して接続される。
【０００９】
本公開の一例示的な実施例において、前記弾性パッドの前記底板から離れる表面には、接着層が備えられる。
【００１０】
本公開の一例示的な実施例において、前記底板には、透水孔が備えられる。
【００１１】
本公開の一例示的な実施例において、前記貫通孔内には、ガスケットが備えられる。
【００１２】
本公開の一例示的な実施例において、前記溝体の少なくとも一側には遮蔽部材が備えられ、前記遮蔽部材は、前記側板又は前記カバープレートに接続される。
【００１３】
本公開の一例示的な実施例において、前記側板には、外側に延長するコネクタが備えられ、前記カバープレートは前記コネクタに接続される。
【００１４】
本公開の一例示的な実施例において、前記溝体及び前記カバープレートのうち少なくとも一つは、アルミニウム板または亜鉛アルミニウムめっき鋼板で製造される。
【００１５】
本公開の一態様によると、ケーブルガイド装置を提供し、当該ケーブルガイド装置は、前記ケーブル収集装置を複数個備え、隣接する２つのケーブル収集装置が貫通して接続される。
【００１６】
本公開の一例示的な実施例において、隣接する２つのケーブル収集装置の溝体は接続装置によって着脱可能に接続される。
【００１７】
本公開の一態様によると、建築部材を提供し、当該建築部材は、光発電アセンブリと、
前記ケーブルガイド装置を含む。
【００１８】
本発明のケーブル収集装置、ケーブルガイド装置及び建築部材において、光発電アセンブリのケーブルが貫通孔によって溝体内に進入して、ケーブルが溝体に沿って延長するので、ケーブルをガイドし、ケーブルが光発電アセンブリを遮蔽すること防止することができる。弾性パッドによって、溝体とベースが取付面に加える圧力を分散させることができ、取付面に応力損傷を減少させることができる。同時に、溝体及び前記溝体をカバーするカバープレートは、ケーブルを保護することができ、ケーブルが外に露出することを防止して寿命を延長することができる。
【００１９】
また、貫通孔内のガスケットは、ケーブルの表面の損傷を防止する。接着層を使用して、弾性パッドを屋上またはその他の取付面に接着させて、屋上に機械的な損傷が発生しない。ベースは溝体を上昇させることができ、溝体と取付面との間に排水空間を形成することができる。透水孔は溝体に水がたまることを防止することができる。遮蔽部材は、光発電アセンブリのジャンクションボックスとケーブルを遮蔽して保護することができる。
理解すべきことは、以上の一般的な説明と後述する詳細な説明は、単に例示的及び解析的なものであり、本開示を制限するものではない。
【図面の簡単な説明】
【００２０】
ここの図面は、明細書の一部を形成し、本開示に合致する実施例を例示し、そして明細書と一緒に本公開の原則を解釈する。下記の図面は、本公開の一部の実施例のみである。当業者にとって、創造性の労働を経ていない前提で、これらの図面に基づいて、他の図面を得ることができることは自明なものである。
【図１】本発明の一実施形態に係るケーブル収集装置の分解図である。
【図２】本発明の一実施形態に係るケーブル収集装置と光発電アセンブリの組み立て図である。
【発明を実施するための形態】
【００２１】
図面を参照して、例示的な実施形態をより全面的に説明する。しかし、例示的な実施形態は、複数の形式で実施することができ、そして本開示で説明する実施形態に限定されると理解してはならない。逆に、これらの実施形態を提供することは、本開示を全面的に完全にすることができ、そして例示的な実施形態の思想を全面的に当業者に伝えることができる。図面は、本公開の例示的に解釈することだけで、必ずしも比例的に作成したものではない。図面では、同じ参照符号は同一または類似の構造を表すため、その詳細な説明を省略する。
【００２２】
本明細書では、相対的な「用語」を使用する。例えば、「上」「下」を利用して１つのアセンブリが他のいずれかのアセンブリの相対的な関係を説明するが、これらの用語は、本明細書の利便性を考慮したものであり、例えば、図面で説明される例示的な方向である。理解すべきことは、もし図面の装置が反転されて、上下反転である場合、説明した「上」のアセンブリは、「下」のアセンブリになる。どの構造が他の構造「上」に備えられる場合は、どの構造が他の構造に一体に形成されることであることができ、またはいずれかの構造が「直接的に」他の構造に備えられることができ、またはいずれかの構造が他の構造を介して「間接的に」他の構造に備えられることができる。
【００２３】
用語の「一つ」、「一」、「当該」、「上記」及び「少なくとも一つ」は、一つまたは複数の要素/構成部分などを表示し、用語の「含む」及び「備え」は開放型で含まれるという意味を示し、そして一部の要素/構成部分など以外に、他の要素/構成部分などが存在することができる。用語の「第１」と「第２」などは表記として使用され、その対象の数量について制限することではない。
【００２４】
関連技術では、光発電アセンブリを建物の屋根に装着して、建物の電気エネルギーを供給する屋上の発電システムを形成する。光発電アセンブリの数量は複数で、アレイで分布され、それぞれの光発電アセンブリはジャンクションボックスとケーブルを備える。ここで、ジャンクションボックスとケーブルは、一般的に、外に直接に露出するので効果的な保護が不足するので、日光に晒し、雨などの原因で故障が発生しやすく、寿命が減少される。同時に、ケーブルの数量が多く、効果的な案内と整理が不足するので、光発電アセンブリが遮蔽されやすく、受光量を減らし発展効果に影響を与える。また、柔軟な光発電屋根において、その表面層は、柔軟な材料であり、このような柔軟な材料の圧力を受ける能力が制限されるので、光発電アセンブリを上記膜材料に直接固定すると、装着が不便で、屋上の損傷になりやすい。
【００２５】
本発明の実施例は、ケーブル収集装置を提供し、このケーブル収集装置は光発電アセンブリのケーブルをガイドして保護することができるが、これに限定されず、他のデバイスのケーブルをガイドして保護することもできる。本発明の実施例において、光発電アセンブリを一例として説明する。図１及び図２に示すように、本発明の実施例の光発電アセンブリのケーブル収集装置は、溝体１、カバープレート２及び弾性パッド３を含むことができる。
【００２６】
溝体１は、底板１１と側板１２を備えることができる。側板１２には、ケーブルが通過する貫通孔１２１が備えられている。カバープレート２は、溝体１をカバーすることができ、溝体１に着脱可能に連結される。
【００２７】
本発明の実施形態のケーブル収集装置において、溝体１を屋上またはその他の取付面に固定することができ、溝体１がカバープレート２によってカバーされることができる。光発電アセンブリのケーブルは、貫通孔１２１を介して溝体１内に進入して溝体１に沿って延長するので、溝体１とカバープレート２を通じて、ケーブルをガイドして保護することができ、ケーブルが外に露出することを防止して寿命を延長することができる。
【００２８】
以下、本発明のケーブル収集装置の各構成部分について詳細に説明する。
【００２９】
図１に示すように、一実施形態において、溝体１は、両端が貫通する溝形状であることができ、その長さは光発電アセンブリの広さと同じあり、もちろん、溝体１の長さは、光発電アセンブリの広さよりも小さいか、より大きくなることができる。同時に、溝体１は、底板１１と側板１２を含むことができる。
【００３０】
底板１１は平板構造であることができ、その形状は矩形であることができ、底板１１は、接着する方式やねじによって接続するなどの方法によって取付面に固定されることができ、上記取付面は、屋根の屋上または光発電アセンブリを装着する必要がある他の表面であることができる。
【００３１】
側板１２の数量は２つであり、２つの側板１２はそれぞれ底板１１の両側に配置され、底板１１と一体に形成されるか、または相互に接続される独立な部材であることができる。２つの側板１２は、対向して互いに平行するように備え、その間の空間には、光発電アセンブリのケーブルを収容することができる。
【００３２】
２つの側板１２のうち少なくとも一つには、光発電アセンブリのケーブルが側板１２を通過して溝体１内に進入する貫通孔１２１が備えられる。貫通ホール１２１の形状は、円形、矩形、腎臓形などの形状であることができ、特に限定されない。側板１２の貫通孔１２１の数量は１個、２個または複数個であることができる。また、貫通孔１２１内には、ガスケット１２２が備えられることができ、ガスケット１２２は、貫通孔１２１内に係合されて、ケーブルが貫通孔１２１のエッジによって損傷されることを防止することができる。ガスケット１２２の材料は、ゴムまたは他の柔軟な材料であることが、ケーブルを保護できる材料であれば、上記材料に限定されない。
【００３３】
例えば、溝体１は、底板１１と底板１１と一体に形成された２つの平行する側板１２を含むことができる。２つの側板１２には、それぞれ２つの腎臓形の貫通孔１２１が備えられ、２つの貫通孔１２１は、底板１１の中軸線に対して対称されるように備え、各貫通孔１２１内にはガスケット１２２が備えられる。
【００３４】
図２に示すように、一実施形態において、カバープレート２は、平板構造であることができ、カバープレート２は、２つの側板１２に備え、底板１１と平行されるので、カバープレート２により溝体１をカバーすることができ、溝体１内のケーブルを保護することができる。同時に、カバープレート２は、側板１２に着脱可能に連結される。
【００３５】
例えば、側板１２の外側面には、外側に延びるコネクタ１２３が備えられることができ、コネクタ１２３は、底板１１と平行になることができ、カバープレート２は、コネクタ１２３と接触してボルトによりコネクタ１２３に着脱可能に固定して接続される。もちろん、本発明の他の実施形態において、カバープレート２は、係止またはその他の着脱可能な方法で溝体１に固定されることができ、ここでその実施例を省略する。
【００３６】
図１に示すように、一実施形態において、弾性パッド３の材料は、ゴムまたは他の弾性材料であることができる。弾性パッド３の底板１１から離れる表面には、接着層を備えることができ、接着層が取付面に接着されることができ、接着層が接着剤を塗布して形成することができる。前記接着剤は、エポキシ樹脂などの接着剤であることができる。接着層は、粘着テープによって形成されることができ、粘着テープは、アクリルテープなどであることができる。もちろん、弾性パッド３は、他の方法で取付面に固定されることができる。例えば、取付面に特定のフレームを固定し、弾性パッド３を上記フレーム内に嵌め設けるが、ここで、その実施例を省略する。
【００３７】
底板１１の側板１２から離れる表面は弾性パッド３と接続することができ、例えば、溝体１の底板１１の側板１２から離れる表面に直接接合して、接着剤やネジ係合によって接続することができる。または、弾性パッド３は、弾性パッド３と底板１１との間に位置するベース４によって底板１１に接続される。したがって、弾性パッド３により、取付面が受ける力を分散させることができ、ベース４が取付面に対しての損傷を減少させることができる。そして、接着層が接着固定する方式を通じて屋上または弾性パッド３の損傷を防止することができる。例えば、取付面が屋上である場合、弾性パッド３は、屋上が受ける力を分散させることができ、ベース４による屋上の損傷を減少させることができる。
【００３８】
図１に示すように、一実施形態において、前記ベース４は、底板１１の側板１２から離れる表面に備え、ベース４は、取付面に固定して接続することができるので、溝体１を支持することができ、溝体１と取付面との間に排水空間が形成されることができる。したがって、取付面の正常的に排水するように確保することができる。同時に、底板１１には、１つまたは複数の透水孔１１１が備えられ、透水孔１１１の形状は、矩形、円形または腎臓形などであることができる。溝体１内の水は、透水孔１１１によって排出されることができるので、溝体１内に水がたまるのを防止することができる。もちろん、本開示の他の実施例において、ベース４と溝体１は、一体に形成することができる。
【００３９】
例えば、ベース４の数量は２つであり、２つのベース４は接着などの方法により取付面に固定され、底板１１は溶接またはねじ接続などの方法により２つのベース４に固定される。透水孔１１１の形状は、腎臓形であり、その数量は複数個であり、各透水孔１１１は、底板１１１の長さ方向に沿って並んで設けられている。弾性パッド３の数量は、ベース４と同じであり、ベース４は、ねじまたは他の接続構造により弾性パッド３に固定されることができる。２つの弾性パッド３は、接着剤によって取付面に接着され、２つのベース４のそれぞれは、タッピングネジによって２つの弾性パッド３に固定される。弾性パッド３の厚さは、タッピングねじの長さよりも長い。本公開の他の実施例において、ベース４は、接着または係止などの方法により弾性パッド３に固定して接続することができ、その実施例は省略する。
【００４０】
図２に示すように、本発明に係るケーブル収集装置は、遮蔽部材５を含むことができる。上記遮蔽部材５は平板構造であることができ、溝体１の少なくとも一側に備えられることができる。遮蔽部材５は、側板１２から離れる方向に延長して底板１１と平行になることができる。遮蔽部材５は、側板１２またはカバープレート２に接続することができる。例えば、遮蔽部材５は、ねじ等の接続部材によって側板２またはカバープレート１２に固定されることができる。または、遮蔽部材５は、側板１２またはカバープレート２と一体に形成される構造であることができる。遮蔽部材５と取付面との間の空間は、光発電アセンブリのジャンクションボックス及びケーブルを収容することができるので、遮蔽部材５は、ジャンクションボックスとケーブルを遮蔽して保護することができる。同時に、遮蔽部材５は、光反射構造であることができ、光の照らしを遮蔽することができる。例えば、遮蔽部材５の材料は、光反射材であることができ、または遮蔽部材５の底板１１から離れる表面には、光反射材のコーティング層が塗布されることができる。
【００４１】
例えば、遮蔽部材５の数量は２つであることができ、２つの遮蔽部材５は、それぞれ溝体１の両側に備えられ、カバープレート２と一体に形成されて底板１１と平行になることができる。溝体１の両側に光発電アセンブリを装着する場合、その両側の光発電アセンブリのジャンクションボックスとケーブルは２つの遮蔽部材５によって遮蔽されて保護されることができる。
【００４２】
本発明の実施例は、ケーブルガイド装置を提供する。上記ケーブルガイド装置は、前記実施例のいずれか一実施例のケーブル収集装置を複数個含むことができ、互いに隣接する２つのケーブル収集装置は貫通して接続される。
【００４３】
ここで、複数のケーブル収集装置は、取付面に固定されて少なくとも一列に配列され、同じ列の中で互いに隣接するケーブル収集装置が貫通して接続されてケーブルが延長する通路が形成される。ここで、同じ列の中で、互いに隣接する２つのケーブル収集装置の溝体１は、接続装置６によって着脱可能に接続することができる。
【００４４】
例えば、接続装置６は、一端がボルトによって一つの溝体１の側板１２に固定して接続することができ、他端がボルトによって互いに隣接する別の溝体１の側板１２に固定して接続することができる平板構造であることができる。同じ側板１２の両端部は、一つの接続装置６によって互いに隣接する側板１２に接続することができる。したがって、それぞれの光発電アセンブリはケーブル収集装置の溝体１に対応することができ、上記光発電アセンブリのケーブルは、貫通孔１２１によって対応される溝体１に進入して、同じ列のケーブル収集装置が形成する通路に沿って延長するので、取付面の個々の光発電アセンブリのケーブルを保護することができる。
【００４５】
本発明の他の実施例において、接続装置６は２つの係合孔を含むことができる。２つの側板１２にはボスが備えられている。側板１２のボスは、対応する係合孔内に係合される。または、接続装置６は、接続する必要がある２つの側板１２に固定される接続板を含むことができる。上記２つの接続板は接合してボルトによって接続することができる。もちろん、接続装置６は、他の構造であることができ、その実施例は省略する。
【００４６】
本発明の実施例は、建築部材を提供する。図２に示すように、上記の建築部材は光発電アセンブリ７及び前記ケーブルガイド装置を含むことができる。
【００４７】
ここで、光発電アセンブリ７の数量は複数個であり、取付面に平坦に置かれて固定されることができる。各光発電アセンブリ７は、ジャンクションボックス７１とケーブル７２を備える。
【００４８】
ケーブルガイド機構は前記取付面に固定されることができる。具体的な固定方法は、上記のケーブル収集装置の実施方式を参照し、ここで詳細な説明は省略する。それぞれのケーブル収集装置の少なくとも一側には光発電アセンブリ７が備えられる。ケーブル収集装置の一側に位置する光発電アセンブリ７のケーブル７２は、貫通孔１２１によってケーブル収集装置の溝体１に進入して、同じ列のケーブル収集装置によって形成された通路に沿って延長する。これにより、各列の光発電アセンブリ７のケーブル７２をガイドし、保護することができる。
【００４９】
光発電アセンブリ７の広さは溝体１の長さと同じで、溝体１が光発電アセンブリ７の側辺に並んで備えるように設置することができる。各光発電アセンブリ７は、一つの溝体１に対応する。
【００５０】
遮蔽部材５を備えるケーブル収集装置において、ジャンクションボックス７１は、遮蔽部材５の下方に位置し、すなわち、屋上と遮蔽部材５との間に位置して、遮蔽部材５がジャンクションボックス７１とケーブル７２がジャンクションボックス７１に接続される部分を遮蔽して保護することができる。
【００５１】
上記の建築部材は、建築物の屋根構造であることができる。また、取付面は屋根構造の屋上であることができる。もちろん、本開示の他の実施例において、前記建築部材は、建築物の外面構造であることができ、取付面は外面であることができる。ここで、建築部材の応用場面について特に限定しない。
【００５２】
当業者にとって、明細書及び本明細書に開示された発明を実践した後、本公開の他の実施例を容易に考えることができる。本出願は、本公開の任意の変形、用途または適応性の変化を含み、これらの変形、用途または適応性の変化は、本公開の一般的な原理に準拠し、本開示に公開されていない本技術分野の公知常識や慣用技術手段を含む。明細書と実施例は、例示的なもので、本公開の真の範囲と精神は、添付されている特許請求の範囲によって示される。
【符号の説明】
【００５３】
１      ・・・溝体
１１    ・・・底板
１１１  ・・・透水孔
１２    ・・・側板
１２１  ・・・貫通孔
１２２  ・・・ガスケット
１２３  ・・・コネクタ
２      ・・・カバープレート
３      ・・・弾性パッド
４      ・・・ベース
５      ・・・遮蔽部材
６      ・・・接続装置
７      ・・・光発電アセンブリ
７１    ・・・ジャンクションボックス
７２    ・・・ケーブル
【図１】
2019205331.tif 000003
【図２】
2019205331.tif 000004